(57)【特許請求の範囲】
【請求項１】
撮影画像情報を記録するための着脱可能な記録媒体を有するデジタルカメラであって、
第１の識別情報を記憶し、前記デジタルカメラの外部接続端子に接続されたＲＯＭと、
前記デジタルカメラ内部に設けられ、第２の識別情報を記憶する識別情報記憶部と、
前記第１の識別情報と前記第２の識別情報とを照合する照合部と、
前記照合部による照合結果が不一致のときには、前記デジタルカメラの動作を強制的に停止させる動作制限部とを含み、
前記ＲＯＭは、前記着脱可能な記録媒体の取り出し時に、前記外部接続端子との接続が破断される状態で配置されるものであるデジタルカメラ。
【請求項２】
請求項１記載のデジタルカメラであって、
少なくとも前記着脱可能な記録媒体の装着部をカバーする外装フィルムをさらに有し、
前記外装フィルムのカメラ側表面には、前記ＲＯＭのベアチップ及び前記外部接続端子への配線が、前記着脱可能な記録媒体の装着部を覆う位置に表面実装され、
前記外装フィルムは、前記ベアチップ及び配線の実装位置近傍に、前記デジタルカメラ表面と接着される接着部を有するデジタルカメラ。
【請求項３】
撮影画像情報を記録するための内部メモリを有するデジタルカメラであって、
前記記録された撮影画像情報を外部に伝送可能な入出力インタフェース部と、
第１の識別情報を記憶し、前記デジタルカメラの外部接続端子に接続されたＲＯＭと、
前記デジタルカメラ内部に設けられ、第２の識別情報を記憶する識別情報記憶部と、
前記第１の識別情報と前記第２の識別情報とを照合する照合部と、
前記照合部による照合結果が不一致のときには、前記デジタルカメラの動作を強制的に停止させる動作制限部とを含み、
前記ＲＯＭは、前記記録された撮影画像情報の伝送時に、前記外部接続端子との接続が破断される状態で配置されるものであるデジタルカメラ。
【請求項４】
請求項３記載のデジタルカメラであって、
少なくとも前記入出力インタフェース部をカバーする外装フィルムをさらに有し、
前記外装フィルムのカメラ側表面には、前記ＲＯＭのベアチップ及び前記外部接続端子への配線が、前記入出力インタフェース部を覆う位置に表面実装され、
前記外装フィルムは、前記ベアチップ及び配線の実装位置近傍に、前記デジタルカメラ表面と接着されるカメラ接着部を有するデジタルカメラ。
【請求項５】
請求項２又は４記載のデジタルカメラであって、
前記外装フィルムは、前記接着部近傍かつ前記配線の実装位置近傍において、少なくとも一部が他の部分に比較して破断容易に構成されるデジタルカメラ。
【請求項６】
請求項２又は４記載のデジタルカメラであって、
前記外装フィルムより薄く、チップ及び配線が実装可能な実装用フィルムをさらに有し、
前記実装フィルムは、前記外装フィルムに接着され、
前記ＲＯＭのベアチップ及び前記外部接続端子への配線が、前記外装フィルムに替えて前記実装用フィルムに実装され、
前記カメラ接着部は、前記外装フィルムに替えて前記実装用フィルムに設けられるデジタルカメラ。
【請求項７】
請求項１ないし６のいずれか１項記載のデジタルカメラであって、
前記第２の識別情報は、デジタルカメラの製造後、前記ＲＯＭから読み出され、前記識別情報記憶部に記憶されるものであるデジタルカメラ。
【請求項８】
請求項７記載のデジタルカメラであって、
前記記憶される第２の識別情報として、前記第１の識別情報が利用されるデジタルカメラ。
【請求項９】
請求項７又は８記載のデジタルカメラであって、
前記ＲＯＭからの第２の識別情報の読み出し、及び前記識別情報記憶部への記憶は、所定のプログラムを用いて行われ、前記プログラムは、前記識別情報記憶部への記憶後消去されるものであるデジタルカメラ。
【請求項１０】
請求項９記載のデジタルカメラであって、
前記ＲＯＭは、電気的に消去可能なＲＯＭであり、前記プログラムは、前記ＲＯＭに予め記憶されたものであるデジタルカメラ。
【発明の詳細な説明】
【０００１】
【発明の属する技術分野】
本発明は、デジタルカメラ、特に簡易使用に適したデジタルカメラに関する。
【０００２】
【従来の技術】
外出先で急に撮影画像を取得する必要が生じた場合、レンズ付きフィルムを利用することが多い。レンズ付きフィルムは、小売店や自動販売機等で簡単に入手可能であるため、カメラを常時持ち歩かなくても、必要なときに希望の画像を撮影して記録に残すことができる。
【０００３】
一方、撮像素子によって取得したデジタル画像情報を、内蔵のメモリ又は着脱可能な記録媒体（以下、単に「メディア」と記述する場合もある。）に記録するデジタルカメラが普及している。このようなデジタルカメラは、従来のカメラと同様、取得したデジタル画像情報に基づいた写真プリントを得ることができるだけでなく、デジタル画像情報をパソコンに取り込んで種々の加工を施すことができるという特徴を有している。そのため、デジタルカメラについても、レンズ付きフィルムと同様、小売店や自動販売機等で簡単に入手可能で、撮影した画像のプリント及びデジタル画像情報を安価に取得できるシステムの普及が期待されている。
【０００４】
しかし、デジタルカメラは、多くの電子部品を必要とするため安価に製造することが困難であり、特に長期間の性能を保証するにはさらに高価となるため、所定枚数の撮影後に撮影済のデジタルカメラを回収し、再利用するシステムが考えられている。所定枚数撮影後に回収されないと、デジタルカメラが長期間使用されることになって、撮影画像の品質が保証できなくなるため、このシステムにおいては、回収効率を向上させることが重要である。また、回収効率が向上すると、回収したデジタルカメラを再生産に利用することにより、製造コストを下げることができる。
【０００５】
回収効率を向上させるためのデジタルカメラとしては、例えば特開２０００−２２８７４０公報に記載されたものが提案されている。このデジタルカメラは、デジタル画像情報を内部メモリに記録する方式とし、内部メモリへのアクセスをパスワードにより制限するものである。パスワードは、デジタルカメラの製造時にカメラに記憶され、製造業者によって管理される。したがって、このカメラの利用者は、デジタル画像情報を自由に利用することができないため、ラボ等に持ち込むことになり、回収効率が向上するものである。
【０００６】
しかし、デジタル画像情報へのアクセスをパスワードによって制限する場合、製造業者によるパスワードの管理、及びラボ等の画像情報利用拠点でのパスワード取得が必要となり、回収システムを維持するための管理負担が大きい。また、メディア利用のデジタルカメラには、利用できないため、デジタル画像情報に基づく処理と、デジタルカメラの再生産を並行して行うことができず、再生産の効率が上がらない。
【０００７】
【発明が解決しようとする課題】
本発明は、上記事情に鑑み、所定枚数撮影後のデジタルカメラを確実に回収できるように、撮影したデジタル画像情報の取り出し後はデジタルカメラの利用を不可能とするデジタルカメラを提供することを目的とするものである。そして、結果的に、撮影画像の品質保証を図るものである。
【０００８】
【課題を解決するための手段】
本発明のデジタルカメラは、撮影画像情報を記録するための着脱可能な記録媒体を有するものであって、第１の識別情報を記憶し、前記デジタルカメラの外部接続端子に接続されたＲＯＭと、前記デジタルカメラ内部に設けられ、第２の識別情報を記憶する識別情報記憶部と、前記第１の識別情報と前記第２の識別情報とを照合する照合部と、前記照合部による照合結果が不一致の時には、前記デジタルカメラの動作を強制的に停止させる動作制限部とを含み、前記ＲＯＭは、前記着脱可能な記録媒体の取り出し時に、前記外部接続端子との接続が破断される状態で配置されるものである。このような構成とすると、撮影画像情報を記録した記録媒体を取り出したときに、ＲＯＭとデジタルカメラ本体との接続が断となるため、再度記録媒体を装着しても、デジタルカメラを動作させることができなくなる。
【０００９】
また、本発明のデジタルカメラは、少なくとも前記着脱可能な記録媒体の装着部をカバーする外装フィルムをさらに有し、前記外装フィルムのカメラ側表面には、前記ＲＯＭのベアチップ及び前記外部接続端子への配線が、前記着脱可能な記録媒体の装着部を覆う位置に表面実装され、前記外装フィルムは、前記ベアチップ及び配線の実装位置近傍に、前記デジタルカメラ表面と接着される接着部を有するものである。このような構成とすると、記録媒体を取り出すために外装フィルムを取り外すと、ＲＯＭとデジタルカメラ本体との接続が断となり、デジタルカメラの再動作が不可能となる。
【００１０】
本発明のデジタルカメラは、撮影画像情報を記録するための内部メモリを有するものであって、前記記録された撮影画像情報を外部に伝送可能な入出力インタフェース部と、第１の識別情報を記憶し、前記デジタルカメラの外部接続端子に接続されたＲＯＭと、前記デジタルカメラ内部に設けられ、第２の識別情報を記憶する識別情報記憶部と、前記第１の識別情報と前記第２の識別情報とを照合する照合部と、前記照合部による照合結果が不一致のときには、前記デジタルカメラの動作を強制的に停止させる動作制限部とを含み、前記ＲＯＭは、前記記録された撮影画像情報の伝送時に、前記外部接続端子との接続が破断される状態で配置されるものである。このような構成とすると、内部メモリから撮影画像情報を取り出そうとすると、ＲＯＭとデジタルカメラ本体との接続が断となるため、デジタルカメラの再動作が不可能となる。
【００１１】
また、本発明のデジタルカメラは、少なくとも前記入出力インタフェース部をカバーする外装フィルムをさらに有し、前記外装フィルムのカメラ側表面には、前記ＲＯＭのベアチップ及び前記外部接続端子への配線が、前記入出力インタフェース部を覆う位置に表面実装され、前記外装フィルムは、前記ベアチップ及び配線の実装位置近傍に、前記デジタルカメラ表面と接着されるカメラ接着部を有するものである。このような構成とすると、内部メモリから撮影画像情報を取り出そうとすると、ＲＯＭとデジタルカメラ本体との接続が断となり、デジタルカメラの再動作が不可能となる。
【００１２】
本発明のデジタルカメラにおける前記外装フィルムは、前記接着部近傍かつ前記配線の実装位置近傍において、少なくとも一部が他の部分に比較して破断容易に構成されるものである。このような構成とすると、ＲＯＭとデジタルカメラ本体との接続を確実に断とすることができる。
【００１３】
本発明のデジタルカメラにおける前記ＲＯＭのベアチップ及び前記外部接続端子への配線は、前記外装フィルムより薄い実装用フィルムに実装され、かつ前記実装フィルムは、前記外装フィルムに接着されるものである。このような構成とすると、外装フィルムの強度を外装に適したものとしつつ、ＲＯＭとデジタルカメラ本体との接続を確実に断とすることができる。
【００１４】
また、本発明のデジタルカメラにおける前記第２の識別情報は、デジタルカメラの製造後、前記ＲＯＭから読み出され、前記識別情報記憶部に記憶されるものである。こうすると、予め定めた関係を有する第１及び第２の識別情報の管理が容易になる。
【００１５】
また、本発明のデジタルカメラにおいては、前記記憶される第２の識別情報として、前記第１の識別情報が利用されるものである。こうすると、ＲＯＭに記憶しておく識別情報を任意のものとすることができるとともに、照合処理も簡単になる。
【００１６】
また、本発明のデジタルカメラにおける前記ＲＯＭからの第２の識別情報の読み出し、及び前記識別情報記憶部への記憶は、所定のプログラムを用いて行われ、前記プログラムは、前記識別情報記憶部への記憶後消去されるものである。こうすると、新しいＲＯＭチップを用いた再生が困難になり、回収効率の向上が期待できる。
【００１７】
また、本発明のデジタルカメラにおける前記ＲＯＭとして、電気的に消去可能なＲＯＭが用いられ、前記ＲＯＭからの第２の識別情報の読み出し、及び前記識別情報記憶部への記憶プログラムは、前記ＲＯＭに予め記憶されるものである。こうすると、デジタルカメラ自体のプログラム記憶メモリを安価なＲＯＭで構成することができる。
【００１８】
【発明の実施の形態】
以下、本発明の実施の形態について、図面を用いて説明する。
【００１９】
（第１の実施の形態）
図１は、第１の実施の形態のデジタルカメラの外観略図であり、（ａ）はその正面を、（ｂ）はその背面を、（ｃ）はその底面を示したものである。デジタルカメラ１００は、筐体１１６、電源スイッチ１１７、光学ファインダ１１８、撮影レンズ１０１、シャッターボタン１１９、補助光発光部１２０、メモリカード挿入部１２１、ディスプレイ１１４、操作スイッチ１１５、メニュースイッチ１２２、実行／画面切り替えスイッチ１２３、外装フィルム１２４、ＲＯＭチップ１３０、プリント配線１３１、外部接続端子１３２を含んで構成される。
【００２０】
外装フィルム１２４は、メモリカード挿入部１２１やディスプレイ１１４を保護するため、また本体を構造的に補強するために包装されるものである。外装フィルム１２４は、少なくともメモリカード挿入部１２１をカバーしており、撮影完了後メモリカード１１２を取り出すときには、剥がされる。一方、再生産工程では、カメラは新しい外装フィルム１２４で包装される。
【００２１】
外装フィルム１２４のカメラ側表面には、ＲＯＭチップ１３０、プリント配線１３１が実装される。プリント配線１３１の一端はＲＯＭチップ１３０に接続され、他端はデジタルカメラ１００の底面に設けられた外部接続端子１３２と接続される。したがって、ＲＯＭチップ１３０のデータはデジタルカメラ１００内に取り込むことが可能となっている。また、後述するように、プリント配線１３１は、メモリカード１１２を取り出すために外装フィルム１２４が剥がされるときには、破断するように配置される。
【００２２】
ここで、外部に露出することが必要なスライドスイッチ（電源スイッチ１１７）を除く各要素は外装フィルム１２４で覆うことが可能である。例えば、補助光発光部１２０、光学ファインダ１１８、撮影レンズ１０１は透明度の高いフィルムで印刷等がない透明部分で覆う。メニュースイッチ１２２や実行／画面切り替えスイッチ１２３のようなプッシュスイッチは、スイッチの場所さえわかっていれば覆ってしまっても操作に影響はないので、位置がわかるように表示をするか、あるいはその部分を透明な窓にしてしまって覆ってもよい。ただし、スイッチが飛び出している場合には、フィルムに張力がかからないように膨らませる必要がある。ディスプレイ１１４は表面が硬質のガラス又はアクリルなどの透明材料で覆われているが、それでも傷が付くおそれがあるため、この部分も透明度の高いフィルムで覆っておくのが好ましい。
【００２３】
図２は、図１のデジタルカメラ１００の概略ブロック構成図である。デジタルカメラ１００は、撮影レンズ１０１、シャッター・絞り１０２、撮像デバイス１０３、補助光発光部１２０、及び駆動回路１１０を含む撮像部、アナログ信号処理部１０４、Ａ／Ｄ変換部１０５、デジタル信号処理部１０６、出力用メモリ１０７、及び圧縮伸張処理部１０８を含む信号処理部、メディアインタフェース１１１及びディスプレイ１１４を含む出力部、操作スイッチ１１５、電源スイッチ１１７、シャッターボタン１１９、メニュースイッチ１２２、実行／画面切り替えスイッチ１２３を含む操作部、並びにデジタルカメラ全体を制御するＣＰＵ１０９を含んで構成される。メディアインタフェース１１１には、撮影画像情報が記録される着脱可能な記録媒体であるメモリカード１１２が装着可能である。
【００２４】
撮像部、及び信号処理部の構成は、従来のデジタルカメラと同じであるので簡単に説明する。レンズ１０１とシャッター・絞り１０２を通った光は、ＣＣＤ等の撮像デバイス１０３の上に焦点を結び、撮影画像信号が取得される。ここでシャッターは撮像デバイス１０３から信号を読み出すときのスミア発生を防ぐものである。撮像デバイス１０３は、シャッターボタン１１９の操作を契機として、所定のタイミングで駆動回路１１０によって駆動され、画像信号を出力する。駆動回路１１０は、撮像デバイス１０３の駆動電圧条件によっては省略も可能である。
【００２５】
画像信号は、アナログ信号処理された後、Ａ／Ｄ変換され、デジタル信号処理を経て出力用メモリ１０７に一時的に記録される。ここで、ディスプレイ１１４に表示する場合は、出力用メモリ１０７の内容を読み出してディスプレイ１１４に送る。出力用メモリ１０７の撮影画像は、圧縮伸張処理部１０８で圧縮処理され、メディアインタフェース１１１を経て、メモリカード１１２に記録される。撮影モードによっては圧縮処理を省略することもできる。
【００２６】
メモリカード１１２に記録された画像をディスプレイ１１４に表示させる場合は、メモリカード１１２から読取った画像情報を圧縮伸張処理部１０８で伸張処理して出力用メモリ１０７に書込み、ディスプレイ１１４に送る。
【００２７】
これらの動作は、電源スイッチ１１７、操作スイッチ１１５、メニュースイッチ１２２、実行／画面切り替えスイッチ１２３、シャッターボタン１１９によって操作されるシャッタースイッチ（図示せず）を含む各種スイッチの状態に応じて、所定のプログラムによって動作するＣＰＵ１０９の制御のもとに行われる。なお、プログラムを記憶したメモリ、ワークメモリ、及び後述する第２の識別情報を記憶する識別情報記憶部は、図示を省略してある。
【００２８】
ＲＯＭチップ１３０は、例えばシリアルＲＯＭが利用され、デジタルカメラの動作を管理するための第１の識別情報、及び第２の識別情報が予め記憶される。第１の識別情報と第２の識別情報は、予め定められた関係を有したものであり、同一の情報であってもよい。同一の情報である場合は、第１の識別情報のみが記憶され、第１の識別情報が第２の識別情報として読み出される。
【００２９】
次に、ＲＯＭチップ１３０に記憶された第１及び第２の識別情報の利用について説明する。デジタルカメラ１００の生産時又は後述する再生産時、組立終了後出荷前に、ＲＯＭチップ１３０に記憶された第２の識別情報をデジタルカメラ１００内の識別情報記憶部（図示せず）に記憶する識別情報登録処理が行われる。登録処理は、スイッチ類の特殊な操作（例えばスイッチ１２２、１２３、及びシャッターボタン１１９の同時操作）により、ＣＰＵ１０９に所定のプログラムを実行させることによって行われる。
【００３０】
図３に、識別情報登録時の概略動作フローを示す。識別情報の登録が指示されると、ＲＯＭ１３０が外部接続端子１３２に接続されているかがチェックされる（ステップ３０１）。接続されていないときは、製造不良と判断し、エラー出力を行う（ステップ３０２）。エラー出力は、例えばディスプレイ１１４にその旨表示する。
【００３１】
ＲＯＭ１３０が接続されているときは、ＲＯＭ１３０から第２の識別情報を読出し（ステップ３０３）、読み出した識別情報を識別情報記憶部（図示せず）に記憶する（ステップ３０４）。そして、登録処理を行うプログラム消去し（ステップ３０６）、電源をオフして（ステップ３０６）登録処理を終了する。
【００３２】
なお、プログラムの消去を行う理由は、製造業者等特定の者以外の者が登録処理を行うことを制限するためである。登録プログラムは、デジタルカメラ１００内部に記憶しておいてもよいが、ＲＯＭ１３０に記憶しておき、識別情報の登録指示がされると、登録プログラムを読出し、実行するようにしてもよい。また、ＲＯＭ１３０に登録プログラムを記憶し、登録処理後消去する場合は、ＲＯＭ１３０として電気的に消去可能なＲＯＭを用いる。
【００３３】
続いて、デジタルカメラ１００使用時の動作を説明する。図４は、カメラ使用時の概略フローを示す図である。使用開始時に電源スイッチをオンとする（ステップ４０１）と、ステップ４０２でＲＯＭ１３０が外部接続端子１３２に接続されているかがチェックされる（ステップ４０２）。接続されていないときは、デジタルカメラ１００が使用済であると判断し、電源を強制的にオフとし（ステップ４０３）、使用不可能とする。
【００３４】
ＲＯＭ１３０が接続されているときは、ＲＯＭ１３０から第１の識別情報を、識別情報記憶部（図示せず）から第２の識別情報をそれぞれ読出し（ステップ４０４）、それらの照合を行う（ステップ４０５）。照合結果が不一致のときは、デジタルカメラ１００が使用済であると判断し、電源を強制的にオフとし（ステップ４０３）、使用不可能とする。照合一致のときは、継続してカメラの操作が可能となり、ステップ４０７で希望する操作を行うことができる。なお、ここで「照合一致」とは、２つの識別情報が同一であることだけでなく、予め定めた関係を有する場合も含む。そして、カメラの操作が終了すると、電源スイッチ４０８をオフにする（ステップ４０８）。
【００３５】
次に、外装フィルム１２４へのＲＯＭチップ１３０及びプリント配線１３１の実装について説明する。図５は、図１のデジタルカメラ１００のＲＯＭチップ１３０近傍を拡大したもので、（ａ）はその底面を示し、（ｂ）は、そのＡ−Ａ断面を模式的に示したものである。
【００３６】
外装フィルム１２４のカメラ側表面には、ＲＯＭチップ１３０及びプリント配線１３１が、メモリカード挿入部１２１を覆う位置に表面実装される。プリント配線１３１の一端はＲＯＭチップ１３０に接続され、他端はデジタルカメラ１００の筐体１１６に設けられた外部接続端子１３２と接続される。ＲＯＭチップ１３０の厚さを吸収するするため、デジタルカメラ１００の筐体１１６に凹部１３５を設けるのが好ましい。外装フィルム１２４のＲＯＭチップ１３０及びプリント配線１３１の実装位置近傍には、デジタルカメラ１００の筐体１１６と接着される接着部１３３が設けられる。接着部１３３は、外部接続端子１３２との接続点近傍、例えば図示するように外部接続端子１３２の周囲に設ける。また、メモリカード挿入部１２１を横切ってＲＯＭチップ１３０近傍にも設けるとさらに好ましい。
【００３７】
このようにＲＯＭチップ１３０をメモリカード挿入部１２１に設けた場合、撮影を終了して、撮影画像情報を記憶したメモリカード１１２を取り出そうとすると、外装フィルム１２４が破断されることになり、再度メモリカード１１２を装着してデジタルカメラ１００を動作させようとしても、動作が不可能となる。
【００３８】
したがって、自らメモリカード１１２を取り出して利用するメリットがなくなるため、デジタルカメラ１００のユーザの、ラボ等の画像処理サービス箇所への持ち込みが促進され、回収率が向上する。その際、ラボ等の画像処理サービス箇所への持ち込みによる処理の一部（例えば、ＣＤ−ＲＯＭ等への画像情報の書込み）を無料サービスすると、さらに回収率を向上させることができる。また、メモリカード１１２へ記憶する撮影画像情報を暗号化することにより、ラボ等の画像処理サービス箇所への持ち込みなしに撮影画像情報の利用を不可能とすることもできる。
【００３９】
なお、接着部１３３は、外装フィルム１２４を剥がそうとしたとき、外装フィルム１２４が破断する程度の接着力でデジタルカメラ１００の筐体１１６と接着されれば、接着方法は問わない。また、外装フィルム１２４のプリント配線１３１を覆う位置にミシン目１３４を形成すると、破断され易くなり、さらに好ましい。
【００４０】
図６は、ＲＯＭチップ１３０及びプリント配線１３１の他の実装例を示す図であり、図５（ｂ）に対応する断面を模式的に示したものである。図６の例は、ＲＯＭチップ１３０及びプリント配線１３１を外装フィルム１２４表面に実装する替わりに、実装用フィルム１３６に実装するものである。実装用フィルム１３６は、ＲＯＭチップ１３０及びプリント配線１３１を表面実装する程度の大きさ及び強度を有し、外装フィルム１２４より薄い素材が用いられる。そして、実装用フィルム１３６の周囲は、接着部１３７により外装フィルム１２４に接着される。
【００４１】
ＲＯＭチップ１３０及びプリント配線１３１の実装用フィルム１３７への実装は、実装用フィルム１３７を外装フィルム１２４に接着する前でもあとでもよい。ＲＯＭチップ１３０及びプリント配線１３１の実装位置近傍には、デジタルカメラ１００の筐体１１６と接着される接着部１３３が設けられる点は、図５の例と同様である。また、必要に応じてミシン目も設けられる。
このような実装を行うと、フィルムを剥いだときの破断の容易性を考慮することなく任意の強度の外装フィルム１２４を選択することができ、外装フィルム１２４の本来の機能に適したものとすることができる。
【００４２】
（第２の実施の形態）
図１のデジタルカメラ１００は、撮影画像情報をメモリカード１１２等の着脱可能な記録媒体に記憶するものであるが、第２の実施の形態のデジタルカメラ２００は、撮影画像情報を内部メモリ１１３に記憶するものである。図７は、第２の実施の形態のデジタルカメラ２００の底面を示したものであり、図５（ａ）に対応する図である。また、図８は、デジタルカメラ２００の概略ブロック構成図である。
【００４３】
デジタルカメラ２００は、撮影画像情報が、メディアインタフェース１１１を経てメモリカード１１２に記録される替わりに、デジタルカメラ２００内部に設けら内部メモリ１１３に記憶される点、及び内部メモリ１１３に記憶される撮影画像情報が、入出力インタフェース１２５を介して外部に取り出される点を除いて、基本的にデジタルカメラ１００と同様の構成及び機能を有する。
【００４４】
入出力インタフェース１２５は、デジタルカメラ２００の底面に形成されたコネクタ部１２６を含む。そして、外装フィルム１２４のコネクタ部１２６をカバーする位置には、デジタルカメラ１００と同様、ＲＯＭチップ１３０、プリント配線１３１が実装される。プリント配線１３１の一端はＲＯＭチップ１３０に接続され、他端はデジタルカメラ１００の底面に設けられた外部接続端子１３２と接続される。
【００４５】
したがって、プリント配線１３１は、コネクタ部１２６を介して撮影画像情報をを取り出すために外装フィルム１２４が剥がされるときには、外装フィルム１２４が破断されることになり、再度メモリカード１１２を装着してデジタルカメラ１００を動作させようとしても、動作が不可能となる。ミシン目１３４、ＲＯＭチップ用の凹部１３５は、必要に応じて設けられる。なお、ＲＯＭチップ１３０及びプリント配線１３１は、図６の例と同様、実装用フィルムに実装する構成とすることもできる。
【００４６】
【発明の効果】
以上の説明から明らかなように、本発明によれば、所定枚数撮影後のデジタルカメラを確実に回収できるように、撮影したデジタル画像情報の取り出し後はデジタルカメラの利用を不可能とするデジタルカメラを提供することができる。そして、結果的に、撮影画像の品質保証を図ることができる。
【図面の簡単な説明】
【図１】第１の実施の形態のデジタルカメラの外観略図
【図２】第１の実施の形態のデジタルカメラの概略ブロック構成図
【図３】識別情報登録時の概略動作フローを示す図
【図４】デジタルカメラ使用時の概略動作フローを示す図
【図５】デジタルカメラのＲＯＭチップ近傍を拡大して示す図
【図６】デジタルカメラのＲＯＭチップ実装の他の例を示す図
【図７】第２の実施の形態のデジタルカメラの底面を示す図
【図８】第２の実施の形態のデジタルカメラの概略ブロック構成図
【符号の説明】
１００、２００・・・デジタルカメラ
１０１・・・撮影レンズ
１０２・・・シャッター・絞り
１０３・・・撮像デバイス
１０４・・・アナログ信号処理部
１０５・・・Ａ／Ｄ変換部
１０６・・・デジタル信号処理部
１０７・・・出力用メモリ
１０８・・・圧縮伸張処理部
１０９・・・ＣＰＵ
１１０・・・駆動回路
１１１・・・メディアインタフェース
１１２・・・メモリカード
１１３・・・内部メモリ
１１４・・・ディスプレイ
１１５・・・操作スイッチ
１１６・・・筐体
１１７・・・電源スイッチ
１１８・・・光学ファインダ
１１９・・・シャッターボタン
１２０・・・補助光発光部
１２１・・・メモリカード挿入部
１２２・・・メニュースイッチ
１２３・・・実行／画面切り替えスイッチ
１２４・・・外装フィルム
１２５・・・入出力インタフェース１２５
１２６・・・コネクタ部
１３０・・・ＲＯＭチップ
１３１・・・プリント配線
１３２・・・外部接続端子
１３３・・・接着部
１３４・・・ミシン目
１３５・・・凹部
１３６・・・実装用フィルム
【図１】
0004105405.tif 000002
【図２】
0004105405.tif 000003
【図３】
0004105405.tif 000004
【図４】
0004105405.tif 000005
【図５】
0004105405.tif 000006
【図６】
0004105405.tif 000007
【図７】
0004105405.tif 000008
【図８】
0004105405.tif 000009